(57)【要約】【課題】入力端子及び出力端子の誤配線接続の防止を図る電源装置を提供することにある。【解決手段】入力端子１１を通じて入力した入力電圧を所定電圧値の出力電圧に変換し、出力端子１２を通じて変換出力する電圧変換回路１３を備えたスイッチング電源装置１であって、ＤＣ／ＤＣ回路１３Ｃ及び出力端子間の電気的接続を遮断した常開リレー回路１７と、電源投入に応じて、ＰＦＣ出力電圧が３００Ｖを超えたか否かを判定するコンパレータ３３と、ＰＦＣ出力電圧が３００Ｖを超えたと判定されると、常開リレー回路による遮断中に、出力端子電圧が零付近であるか否かを判定する出力端子電圧判定部３２Ａと、出力端子電圧が零付近であると判定されると、ＤＣ／ＤＣ回路及び出力端子間の電気的接続の遮断を解放して電気的に接続すべく、常開リレー回路をＯＮ駆動制御する駆動制御部３２Ｂとを有している。【選択図】図１
2008220055.tif 000002
【特許請求の範囲】
【請求項１】
入力端子及び出力端子と、前記入力端子を通じて入力した入力電圧を所定電圧値の出力電圧に変換し、この変換した出力電圧を、出力端子を通じて出力する電圧変換回路とを備えた電源装置であって、
前記電圧変換回路及び前記出力端子間の電気的接続を遮断するリレー手段と、
前記電圧変換回路内部の入力段の電圧を検出する入力段電圧検出手段と、
前記出力端子側の電圧を検出する出力端子電圧検出手段と、
前記入力電圧の投入に応じて、前記入力段電圧検出手段を通じて前記電圧変換回路内部の入力段電圧を検出し、この入力段電圧が所定閾値を超えたか否かを判定する入力段電圧判定手段と、
この入力段電圧判定手段にて前記入力段電圧が所定閾値を超えたと判定されると、前記リレー手段による前記電圧変換回路及び前記出力端子間の電気的接続の遮断中に、前記出力端子電圧検出手段を通じて前記出力端子側の電圧を検出し、この出力端子側の電圧が零付近であるか否かを判定する出力端子電圧判定手段と、
この出力端子電圧判定手段にて前記出力端子側の電圧が零付近でないと判定されると、前記電圧変換回路及び前記出力端子間の電気的接続の遮断を保持すべく、前記リレー手段を駆動制御する駆動制御手段とを有することを特徴とする電源装置。
【請求項２】
前記駆動制御手段は、
前記出力端子電圧判定手段にて前記出力端子側の電圧が零付近であると判定されると、前記電圧変換回路及び前記出力端子間の電気的接続の遮断を解放して電気的に接続すべく、前記リレー手段を駆動制御することを特徴とする請求項１記載の電源装置。
【請求項３】
前記駆動制御手段は、
前記出力端子電圧判定手段にて前記出力端子側の電圧が零付近でないと判定されると、アラームを報知出力することを特徴とする請求項１又は２記載の電源装置。
【請求項４】
前記駆動制御手段は、
前記リレー手段による前記電圧変換回路及び前記出力端子間の電気的接続の遮断中は、前記電圧変換回路内部の電圧変換機能の駆動を停止することを特徴とする請求項１、２又は３記載の電源装置。
【請求項５】
前記電圧変換回路は、
前記入力電圧の力率を改善する力率改善部と、この力率改善部にて改善した入力電圧を所定電圧値の出力電圧に変換する電圧変換部と有し、
前記入力段電圧検出回路は、
前記力率改善部の出力電圧を入力段電圧として検出することを特徴とする請求項１，２，３又は４記載の電源装置。
【発明の詳細な説明】
【技術分野】
【０００１】
本発明は、交流電源からの交流電圧を所定電圧値の直流電圧に変換し、この変換した直流電圧を電源出力する電源装置に関する。
【背景技術】
【０００２】
従来、このような電源装置としては、交流電源に接続する入力端子と、直流電源を供給する負荷に接続する出力端子と、入力端子を通じて交流電源から、例えば２００Ｖの交流電圧を入力し、この交流電圧を所定電圧値（例えば５Ｖ，１２Ｖ，１５Ｖ，２４Ｖ）の直流電圧に変換する変換回路とを有し、変換回路は、入力端子を通じて入力した交流電圧を全波整流して平滑化して所定電圧値の直流電圧に変換し、この変換したの直流電圧を、出力端子を通じて負荷に電源供給する技術が広く知られている（例えば特許文献１参照）。
【０００３】
一般的な電源装置では、例えば交流電源及び入力端子間の接続配線や、負荷及び出力端子間の接続配線をネジ止めで接続することになるため、入力端子及び出力端子を区別するために入力端子及び出力端子の表示や形状を変えることで、入力端子及び出力端子の誤配線を防止するようにしている。尚、一般的な電源装置では、誤配線接続を防止するためにコネクタ接続にすることも考えられるが、電源装置の用途上、配線スペースの確保が難しく、あえてコネクタ接続によらず、ネジ止め接続で入力端子及び出力端子の配線を行っているのが実情である。
【特許文献１】特開２００５−１５１６７４号公報（要約書及び図１参照）
【発明の開示】
【発明が解決しようとする課題】
【０００４】
しかしながら、上記従来の電源装置によれば、その入力端子及び出力端子の表示や形状を変えて、これら入力端子及び出力端子の誤配線を防止するようにしたが、配線作業者の判断ミスで、本来、負荷を接続すべき出力端子側に、例えば交流電源を誤接続してしまった場合、電源装置自体が故障してしまうことになる。
【０００５】
また、同様に、配線作業者の判断ミスで、本来、交流電源を接続すべき入力端子側に、例えば負荷を誤接続してしまった場合、電源装置自体に不具合が生じる虞がある。
【０００６】
本発明は上記点に鑑みてなされたものであり、その目的とするところは、入力端子及び出力端子の誤配線接続による電源装置自体の故障や不具合を確実に防止することができる電源装置を提供することにある。
【課題を解決するための手段】
【０００７】
上記目的を達成するために本発明の電源装置は、入力端子及び出力端子と、前記入力端子を通じて入力した入力電圧を所定電圧値の出力電圧に変換し、この変換した出力電圧を、出力端子を通じて出力する電圧変換回路とを備えた電源装置であって、前記電圧変換回路及び前記出力端子間の電気的接続を遮断するリレー手段と、前記電圧変換回路内部の入力段の電圧を検出する入力段電圧検出手段と、前記出力端子側の電圧を検出する出力端子電圧検出手段と、前記入力電圧の投入に応じて、前記入力段電圧検出手段を通じて前記電圧変換回路内部の入力段電圧を検出し、この入力段電圧が所定閾値を超えたか否かを判定する入力段電圧判定手段と、この入力段電圧判定手段にて前記入力段電圧が所定閾値を超えたと判定されると、前記リレー手段による前記電圧変換回路及び前記出力端子間の電気的接続の遮断中に、前記出力端子電圧検出手段を通じて前記出力端子側の電圧を検出し、この出力端子側の電圧が零付近であるか否かを判定する出力端子電圧判定手段と、この出力端子電圧判定手段にて前記出力端子側の電圧が零付近でないと判定されると、前記電圧変換回路及び前記出力端子間の電気的接続の遮断を保持すべく、前記リレー手段を駆動制御する駆動制御手段とを有するようにした。
【０００８】
従って、本発明の電源装置によれば、前記電圧変換回路及び前記出力端子間の電気的接続を遮断したリレー手段を備え、入力電圧の投入に応じて、前記電圧変換回路内部の入力段電圧が所定閾値を超え、かつ、前記電圧変換回路及び前記出力端子間の電気的接続の遮断中に、出力端子側の電圧が零付近でないと判定されると、前記電圧変換回路及び前記出力端子間の電気的接続の遮断を保持するようにしたので、本来、例えば負荷を接続すべき出力端子側に、例えば交流電源を誤接続したとしても、電圧変換回路及び出力端子間の電気的接続が遮断保持されていることになるため、出力端子や入力端子の誤配線接続による電源装置自体の故障や不具合を確実に防止することができる。
【０００９】
また、本発明の電源装置は、前記駆動制御手段が、前記出力端子電圧判定手段にて前記出力端子側の電圧が零付近であると判定されると、前記電圧変換回路及び前記出力端子間の電気的接続の遮断を解放して電気的に接続すべく、前記リレー手段を駆動制御するようにしても良い。
【００１０】
従って、本発明の電源装置によれば、前記電圧変換回路内部の入力段電圧が所定閾値を超え、かつ、前記電圧変換回路及び前記出力端子間の電気的接続の遮断中に、前記出力端子側の電圧が零付近であると判定されると、前記電圧変換回路及び前記出力端子間の電気的接続の遮断を解放して電気的に接続すべく、前記リレー手段を駆動制御するようにしたので、例えば入力端子側に交流電源、出力端子側に負荷、すなわち入力端子及び出力端子に本来接続すべき機器が正常に接続した場合、電源電圧変換回路及び出力端子間を電気的に接続することで、電源装置として正常の運転動作を実現することができる。
【００１１】
また、本発明の電源装置は、前記駆動制御手段が、前記出力端子電圧判定手段にて前記出力端子側の電圧が零付近でないと判定されると、アラームを報知出力するようにしても良い。
【００１２】
従って、本発明の電源装置によれば、前記電圧変換回路内部の入力段電圧が所定閾値を超え、かつ、前記電圧変換回路及び前記出力端子間の電気的接続の遮断中に、前記出力端子側の電圧が零付近でないと判定されると、アラームを報知出力するようにしたので、本来、例えば負荷を接続すべき出力端子側に、例えば交流電源を誤接続したとしても、ユーザは、誤配線接続の発生をアラームで認識することができる。
【００１３】
また、本発明の電源装置は、前記駆動制御手段が、前記リレー手段による前記電圧変換回路及び前記出力端子間の電気的接続の遮断中は、前記電圧変換回路内部の電圧変換機能の駆動を停止するようにしても良い。
【００１４】
従って、本発明の電源装置によれば、前記リレー手段による前記電圧変換回路及び前記出力端子間の電気的接続の遮断中は、前記電圧変換回路内部の電圧変換機能の駆動を停止するようにしたので、本来、例えば負荷を接続すべき、出力端子側に交流電源を誤配線接続したとしても、前記電圧変換回路及び出力端子間の電気的接続は遮断されていることは勿論のこと、前記電圧変換回路内部の電圧変換機能の駆動を停止することになるため、出力端子側の誤配線接続による電源装置自体の故障は勿論のこと、入力端子側の誤配線接続による電源装置の不具合を確実に防止することができる。
【００１５】
また、本発明の電源装置は、前記電圧変換回路が、前記入力電圧の力率を改善する力率改善部と、この力率改善部にて改善した入力電圧を所定電圧値の出力電圧に変換する電圧変換部と有し、前記入力段電圧検出回路は、前記力率改善部の出力電圧を入力段電圧として検出するようにしても良い。
【００１６】
従って、本発明の電源装置によれば、前記入力段電圧検出回路が前記力率改善部の出力電圧を入力段電圧として検出するようにしたので、入力端子側の誤配線接続による電源装置の不具合を確実に防止することができる。
【発明の効果】
【００１７】
上記のように構成された本発明の電源装置によれば、前記電圧変換回路及び前記出力端子間の電気的接続を遮断したリレー手段を備え、入力電圧の投入に応じて、前記電圧変換回路内部の入力段電圧が所定閾値を超え、かつ、前記電圧変換回路及び前記出力端子間の電気的接続の遮断中に、出力端子側の電圧が零付近でないと判定されると、前記電圧変換回路及び前記出力端子間の電気的接続の遮断を保持するようにしたので、本来、例えば負荷を接続すべき出力端子側に、例えば交流電源を誤接続したとしても、電圧変換回路及び出力端子間の電気的接続が遮断保持されていることになるため、出力端子や入力端子の誤配線接続による電源装置自体の故障や不具合を確実に防止することができる。
【発明を実施するための最良の形態】
【００１８】
以下、図面に基づいて本発明の電源装置に関わる実施の形態を示すスイッチング電源装置について説明する。図１は本発明の電源装置に関わる実施の形態を示すスイッチング電源装置内部の概略構成を示すブロック図である。
【００１９】
図１に示すスイッチング電源装置１は、交流電源２と接続する入力端子１１及び、図示せぬ負荷に接続する出力端子１２を備え、入力端子１１を通じて入力した交流入力電圧を所定電圧値の直流出力電圧に変換し、この変換した直流出力電圧を、出力端子１２を通じて負荷に供給する電圧変換回路１３と、このスイッチング電源装置１全体を制御する制御回路１４と、交流電源２の一部の電力を制御回路１４に電力供給する補助電源１５と、警告表示等のアラームを表示出力するアラーム表示部１６とを有している。尚、アラーム表示部１６は、ＬＣＤ若しくはＬＥＤ等で構成するものである。
【００２０】
電圧変換回路１３は、入力端子１１を通じて入力した交流入力電圧を全波整流して直流電圧に変換するダイオードブリッジ回路１３Ａと、このダイオードブリッジ回路１３Ａにて変換した直流電圧の力率を改善する力率改善（以下、単にＰＦＣと称する）回路１３Ｂと、このＰＦＣ回路１３Ｂにて力率改善した直流電圧を所定電圧値に安定化出力するＤＣ／ＤＣ回路１３Ｃとを有している。
【００２１】
また、スイッチング電源装置１は、ＤＣ／ＤＣ回路１３Ｃ及び出力端子１２間の電気的接続を遮断する常開リレー回路１７を備え、制御回路１４は、ＤＣ／ＤＣ回路１３Ｃ及び出力端子１２間の電気的接続の遮断を解放して電気的に接続すべく、常開リレー回路１７をＯＮ駆動制御するものである。
【００２２】
また、スイッチング電源装置１は、ＰＦＣ回路１３Ｂ及びＤＣ／ＤＣ回路１３Ｃ間に配置し、ＰＦＣ回路１３Ｂの出力電圧、すなわちＰＦＣ出力電圧を検出するＰＦＣ出力電圧検出部２１と、ＤＣ／ＤＣ回路１３Ｃ及び常開リレー回路１７間に配置し、ＤＣ／ＤＣ回路１３Ｃの出力電圧を検出する出力電圧検出部２２と、常開リレー回路１７及び出力端子１２間に配置し、出力端子電圧を検出する出力端子電圧検出部２３とを有している。
【００２３】
制御回路１４は、ＰＦＣ回路１３Ｂを駆動制御するコントロールＩＣ３１と、ＤＣ／ＤＣ回路１３Ｃを駆動制御するマイコン３２とを有し、コントロールＩＣ３１は、ＰＦＣ回路１３ＢのＰＦＣ入力電流を検出し、この検出結果に基づいてＰＦＣ回路１３Ｂを駆動制御すべく、ＰＦＣ制御パルスをＰＦＣ回路１３Ｂに入力すると共に、マイコン３２は、ＤＣ／ＤＣ回路１３Ｃの出力電圧を検出し、この検出結果に基づいてＤＣ／ＤＣ回路１３Ｃを駆動制御すべく、ＤＣ／ＤＣ制御パルスをＤＣ／ＤＣ回路１３Ｃに入力するものである。
【００２４】
また、制御回路１４は、入力端子１１に対して、例えば交流電源２を配線接続し、この入力端子１１を通じて交流電源２からの電源投入に応じて補助電源１５から電力を供給することでコントロールＩＣ３１及びマイコン３２を起動することになるが、ＰＦＣ出力電圧検出部２１を通じてＰＦＣ回路１３ＢのＰＦＣ出力電圧が所定閾値、例えば３００Ｖを超えたか否かを判定するコンパレータ３３と、ＰＦＣ出力電圧が３００Ｖを超えたと判定されると、光信号を出力する発光素子３４と、発光素子３４からの光信号を受光し、ＰＦＣ出力電圧が３００Ｖを超えたとの判定結果をマイコン３２に通知する受光素子３５とを有している。尚、コンパレータ３３に設定した所定閾値は、ＤＣ／ＤＣ回路１３Ｃの駆動電圧閾値に相当するものである。また、制御回路１４内部のコントロールＩＣ３１及びマイコン３２間は、発光素子３４及び受光素子３５を通じて電気的に絶縁しているものとする。
【００２５】
マイコン３２は、受光素子３５を通じてＰＦＣ出力電圧が３００Ｖを超えたとの判定結果を受信すると、出力端子電圧検出部２３を通じて出力端子電圧を検出し、この出力端子電圧が零付近であるか否かを判定する出力端子電圧判定部３２Ａと、この出力端子電圧が零付近であると判定されると、正常な配線接続であると判断し、ＤＣ／ＤＣ回路１３Ｃ及び出力端子１２間の電気的接続遮断を解放して電気的に接続すべく、常開リレー回路１７をＯＮ駆動制御する駆動制御部３２Ｂとを有している。
【００２６】
また、マイコン３２は、受光素子３５を通じてＰＦＣ出力電圧が３００Ｖを超えたとの判定結果を受信すると、出力端子電圧検出部２３を通じて出力端子電圧を検出し、出力端子電圧判定部３２Ａにて出力端子電圧が零付近でないと判定されると、誤配線接続であると判断し、ＤＣ／ＤＣ回路１３Ｃ及び出力端子１２間の電気的接続遮断をそのまま保持すべく、駆動制御部３２Ｂを通じて、常開リレー回路１７をＯＦＦ駆動制御すると共に、誤配線接続である旨のアラームをアラーム表示部１６に表示出力するものである。
【００２７】
ＤＣ／ＤＣ回路１３Ｃ及び出力端子１２間の常開リレー回路１７は、通常、ＤＣ／ＤＣ回路１３Ｃ及び出力端子１２間の電気的接続を遮断状態にしているため、本来、出力端子１２側に負荷を接続すべきところに交流電源２を誤配線接続したとしても、ＤＣ／ＤＣ回路１３Ｃ及び出力端子１２間が電気的に遮断状態にあるため、スイッチング電源装置１自体が故障してしまうような事態を防止することができるものである。
【００２８】
また、ＤＣ／ＤＣ回路１３Ｃ及び出力端子１２間の常開リレー回路１７は、通常、ＤＣ／ＤＣ回路１３Ｃ及び出力端子１２間の電気的接続を遮断状態にしているため、本来、入力端子１１側に交流電源２を接続すべきところに負荷を誤配線接続したとしても、ＤＣ／ＤＣ回路１３Ｃ及び出力端子１２間が電気的に遮断状態にあるため、スイッチング電源装置１の不具合を確実に防止することができるものである。
【００２９】
また、制御回路１４のマイコン３２は、受光素子３５を通じてＰＦＣ出力電圧が３００Ｖを超えたとの判定結果を受信すると、出力端子電圧検出部３２Ａを通じて出力端子電圧を検出し、この出力端子電圧が零付近であると判定されると、正常配線接続であると判断し、ＤＣ／ＤＣ回路１３Ｃ及び出力端子１２間の電気的接続遮断を解放して電気的に接続すべく、常開リレー回路１７をＯＮ駆動制御することで、ＤＣ／ＤＣ回路１３Ｃ及び出力端子１２間を電気的に接続し、電圧変換回路１３は、交流電源２からの交流入力電圧を所定電圧値の直流出力電圧に変換出力するものである。
【００３０】
尚、請求項記載の電源装置はスイッチング電源装置１、入力端子は入力端子１１、出力端子は出力端子１２、変換回路は電圧変換回路１３、リレー手段は常開リレー回路１７、入力段電圧検出手段はＰＦＣ出力電圧検出部２１、出力端子電圧検出手段は出力端子電圧検出部２３、入力段電圧判定手段はコンパレータ３３、出力端子電圧判定手段は出力端子電圧判定部３２Ａ、駆動制御手段は駆動制御部３２Ｂ、アラームはアラーム表示部１６、力率改善部はＰＦＣ回路１３Ｂ、電圧変換部はＤＣ／ＤＣ回路１３Ｃに相当するものである。
【００３１】
次に本実施の形態を示すスイッチング電源装置１の動作について説明する。図２は本実施の形態を示すスイッチング電源装置１の誤配線防止処理に関わる処理動作を示すフローチャートである。
【００３２】
図２に示す誤配線防止処理は、スイッチング電源装置１の入力端子１１又は出力端子１２への誤配線接続を防止するための処理である。
【００３３】
図２に示すスイッチング電源装置１は、入力端子１１を通じて電源投入を検出したか否かを判定する（ステップＳ１１）。
【００３４】
スイッチング電源装置１は、電源投入を検出したのであれば、補助電源１５経由での電力供給に応じて制御回路１４内部のコントロールＩＣ３１及びマイコン３２を起動する（ステップＳ１２）。
【００３５】
制御回路１４内部のマイコン３２は、ＰＦＣ出力電圧検出部２１を通じてＰＦＣ回路１３Ｂの出力電圧、すなわちＰＦＣ出力電圧を検出すると、コンパレータ３３を通じてＰＦＣ出力電圧が所定閾値、例えば３００Ｖを超えたか否かを判定する（ステップＳ１３）。尚、マイコン３２は、ＰＦＣ出力電圧が３００Ｖを超えた場合、受光素子３５を通じて発光素子３４からの光信号を受信することになる。
【００３６】
マイコン３２は、受光素子３５を通じて光信号を受信すると、ＰＦＣ出力電圧が３００Ｖを超えたものと判断し、出力端子電圧検出部２３を通じて出力端子１３及び常開リレー回路１７間の出力端子電圧を検出し、出力端子電圧判定部３２Ａを通じて、この出力端子電圧が零付近であるか否かを判定する（ステップＳ１４）。
【００３７】
マイコン３２は、出力端子電圧が零付近であると判定されると、正常な配線接続であると判断し、駆動制御部３２Ｂを通じてＤＣ／ＤＣ回路１３Ｃ及び出力端子１２間の電気的接続の遮断を解放すべく、常開リレー回路１７をＯＮ駆動してＤＣ／ＤＣ回路１３Ｃ及び出力端子１２間を電気的に接続し（ステップＳ１５）、ＤＣ／ＤＣ回路１３Ｃの駆動を開始し（ステップＳ１６）、交流入力電圧を所定電圧値の直流出力電圧に変換出力する通常の運転動作に移行すべく、この処理動作を終了する。
【００３８】
また、スイッチング電源装置１は、ステップＳ１１にて電源投入を検出したのでなければ、この処理動作を終了する。
【００３９】
また、制御回路１４は、ステップＳ１３にてＰＦＣ出力電圧が３００Ｖを超えたのでなければ、同ＰＦＣ出力電圧が３００Ｖを超えるまで監視動作を継続すべく、ステップＳ１３に移行する。
【００４０】
また、制御回路１４のマイコン３２は、ステップＳ１４にて出力端子電圧が零付近でないと判定されると、誤配線接続であると判断し、駆動制御部３２Ｂを通じて誤配線接続である旨を通知すべく、誤配線接続のアラームをアラーム表示部１６に表示し（ステップＳ１７）、この処理動作を終了する。
【００４１】
図２に示す誤配線接続処理によれば、電源投入後、ＰＦＣ出力電圧が３００Ｖを超えたと判定され、かつＤＣ／ＤＣ回路１３Ｃ及び出力端子１２間の出力端子電圧が零付近でないと判定されると、誤配線接続であると判断し、ＤＣ／ＤＣ回路１３Ｃ及び出力端子１２間の電気的接続の遮断を保持したまま、誤配線接続を報知すべく、誤配線接続アラームをアラーム表示部１６に表示するようにしたので、出力端子１２側の誤配線接続によるスイッチング電源装置１自体の故障を確実に防止すると共に、ユーザは、誤配線接続アラームで誤配線接続を認識することができる。
【００４２】
また、誤配線接続処理によれば、電源投入後、ＰＦＣ出力電圧が３００Ｖを超えたと判定され、かつＤＣ／ＤＣ回路１３Ｃ及び出力端子１２間の出力端子電圧が零付近であると判定されると、正常に配線接続されているものと判断し、ＤＣ／ＤＣ回路１３Ｃ及び出力端子１２間の電気的接続の遮断を解放して電気的に接続するようにしたので、通常通り、入力端子１１からの交流入力電圧を所定電圧値の直流出力電圧に変換し、この変換した所定電圧値の直流出力電圧を出力端子１２から出力する通常の運転動作を実行することができる。
【００４３】
本実施の形態によれば、ＤＣ／ＤＣ回路１３Ｃ及び出力端子１２間の電気的接続を遮断した常開リレー回路１７を備え、電源投入に応じて、ＰＦＣ回路１３ＢのＰＦＣ出力電圧が所定閾値（３００Ｖ）を超え、かつ、ＤＣ／ＤＣ回路１３Ｃ及び出力端子１２間の電気的接続の遮断中に、出力端子電圧が零付近でないと判定されると、ＤＣ／ＤＣ回路１３Ｃ及び出力端子１２間の電気的接続の遮断を保持するようにしたので、本来、例えば負荷を接続すべき出力端子１２側に、例えば交流電源２を誤接続したとしても、ＤＣ／ＤＣ回路１３Ｃ及び出力端子１２間の電気的接続が遮断保持されていることになるため、出力端子１２や入力端子１１の誤配線接続によるスイッチング電源装置１自体の故障や不具合を確実に防止することができる。
【００４４】
また、本実施の形態によれば、ＰＦＣ回路１３ＢのＰＦＣ出力電圧が所定閾値（３００Ｖ）を超え、かつ、ＤＣ／ＤＣ回路１３Ｃ及び出力端子１２間の電気的接続の遮断中に、出力端子電圧が零付近であると判定されると、ＤＣ／ＤＣ回路１３Ｃ及び出力端子１２間の電気的接続の遮断を解放して電気的に接続すべく、常開リレー回路１７をＯＮ駆動制御するようにしたので、例えば入力端子１１側に交流電源２、出力端子１２側に負荷、すなわち入力端子１１及び出力端子１２に本来接続すべき機器が正常に接続した場合、ＤＣ／ＤＣ回路１３Ｃ及び出力端子１２間を電気的に接続することで、スイッチング電源装置１として正常の運転動作を実現することができる。
【００４５】
また、本実施の形態によれば、ＰＦＣ回路１３ＢのＰＦＣ出力電圧が所定閾値（３００Ｖ）を超え、かつ、ＤＣ／ＤＣ回路１３Ｃ及び出力端子１２間の電気的接続の遮断中に、出力端子電圧が零付近でないと判定されると、誤配線接続のアラームをアラーム表示部１６に表示するようにしたので、本来、例えば負荷を接続すべき出力端子１２側に、例えば交流電源２を誤接続したとしても、ユーザは、誤配線接続の発生をアラーム表示部１６で認識することができる。
【００４６】
また、本実施の形態によれば、常開リレー回路１７によるＤＣ／ＤＣ回路１３Ｃ及び出力端子１２間の電気的接続の遮断中は、ＤＣ／ＤＣ回路１３の駆動を停止するようにしたので、本来、例えば負荷を接続すべき、出力端子１２側に交流電源２を誤配線接続したとしても、ＤＣ／ＤＣ回路１３Ｃ及び出力端子１２間の電気的接続は遮断されていることは勿論のこと、ＤＣ／ＤＣ回路１３Ｃの駆動を停止することになるため、出力端子１２側の誤配線接続によるスイッチング電源装置１自体の故障は勿論のこと、入力端子１１側の誤配線接続によるスイッチング電源装置１の不具合を確実に防止することができる。
【００４７】
尚、上記実施の形態においては、電圧変換回路１３内部のＰＦＣ回路１３ＢのＰＦＣ出力電圧が監視対象とし、このＰＦＣ出力電圧が所定閾値を超えたか否かを判定し、ＰＦＣ出力電圧が所定閾値を超えた場合、出力端子電圧が零付近であるか否かを判定するようにしたが、このＰＦＣ回路１３Ｂの出力電圧に限定されるものではなく、例えばＤＣ／ＤＣ回路１３Ｃの出力電圧やダイオードブリッジ回路１３Ａの出力電圧等を監視対象としても同様の効果が得られることは言うまでもない。
【００４８】
また、上記実施の形態においては、誤配線接続と判断された場合、誤配線接続のアラームをアラーム表示部１６で警告表示するようにしたが、アラーム表示部１６の代わり、例えばアラーム音を音響出力する音響出力部を配置するようにしても、同様の効果が得られることは言うまでもない。
【産業上の利用可能性】
【００４９】
上記のように構成された本発明の電源装置によれば、電圧変換回路及び出力端子間の電気的接続を遮断したリレー手段を備え、入力電圧の投入に応じて、前記電圧変換回路内部の入力段電圧が所定閾値を超え、かつ、前記電圧変換回路及び前記出力端子間の電気的接続の遮断中に、出力端子側の電圧が零付近でないと判定されると、前記電圧変換回路及び前記出力端子間の電気的接続の遮断を保持するようにしたので、本来、例えば負荷を接続すべき出力端子側に、例えば交流電源を誤接続したとしても、電圧変換回路及び出力端子間の電気的接続が遮断保持されていることになるため、出力端子や入力端子の誤配線接続による電源装置自体の故障や不具合を確実に防止することができるため、例えば交流入力電圧を所定電圧値の直流出力電圧に変換するスイッチング電源装置に有用である。
【図面の簡単な説明】
【００５０】
【図１】本発明の電源装置に関わる実施の形態を示すスイッチング電源装置内部の概略構成を示すブロック図である。
【図２】本実施の形態を示すスイッチング電源装置の誤配線防止処理に関わる処理動作を示すフローチャートである。
【符号の説明】
【００５１】
１  スイッチング電源装置（電源装置）
１１  入力端子
１２  出力端子
１３  電圧変換回路（電圧変換回路）
１３Ｂ  ＰＦＣ回路（力率改善部）
１３Ｃ  ＤＣ／ＤＣ回路（電圧変換部）
１６  アラーム表示部（アラーム）
１７  常開リレー回路（リレー手段）
２１  ＰＦＣ出力電圧検出部（入力段電圧検出手段）
２３  出力端子電圧検出部（出力端子電圧検出手段）
３２Ａ  出力端子電圧判定部（出力端子電圧判定手段）
３２Ｂ  駆動制御部（駆動制御手段）
３３  コンパレータ（入力段電圧判定手段）
【図１】
2008220055.tif 000003
【図２】
2008220055.tif 000004